(57)【要約】再充電可能なランプシステム（１０）は、再充電プラッター上で移動可能に１つ以上の自動安定装置を備えた再充電可能な発光固定具（１２）のセットを含む。発光体は、それぞれ、充電プラッター（２８）から移動された場合にオンになるろうそくに類似する光拡散器（１１４）を含む。発光体は、さらに、充電プラッター（２８）への電力がオフにされた場合にオンにし、これは、該セットがテーブルランプとして用いられることを許容し、電力がない間自動的に発光体をオンにする追加された利点を有する。発光体は、それぞれ、再充電プラッターに誘導されて結合され、これは、電気的接触がない審美的なここちよいインターフェースを提供することを可能にする。【選択図】図１
2004502271.tif 000002
【特許請求の範囲】
【請求項１】
該再充電プラッター上で受け取られた該発光体のセットの各発光体に結合され、供給されたＡＣ電力に応答して動作し、電荷信号を該発光体のセットの各発光体に提供する第１の回路を含む、発光体のセットを受け取るように適合された再充電プラッターと、
それぞれが光出射素子を有している発光体のセットであって、再充電可能なバッテリーパックに第２の回路を介して結合され、該第２の回路は、該発光体のセットの各発光体が該充電プラッター上で受け取られる場合、該充電信号に応答して該再充電可能なバッテリーパックを充電する１つのモードで動作し、および、該充電信号の欠如に応答して該光出射素子を活性化する他のモードで動作し、これにより、該発光体のセットの各発光体は、該再充電プラッターから除かれた場合に発光し、および、その中に受け取られたときにＡＣ電力が該再充電プラッターに供給されない場合に発光する、発光体のセットと、
を含む、再充電可能なランプシステム。
【請求項２】
前記第１の回路は、手動で作動されるスイッチを含み、前記発光体のセットの各発光体は、該手動により作動されたスイッチをオフにすることに応答してＡＣ電力が供給されない場合に発光する、請求項１に記載の再充電可能なランプシステム。
【請求項３】
前記発光体のセットの各発光体は、ＡＣ電力供給の故障に応答してＡＣ電力が供給されない場合に発光する、請求項１に記載の再充電可能なランプシステム。
【請求項４】
前記発光体のセットは、１つ以上の発光体を含む、請求項１に記載の再充電可能なランプシステム。
【請求項５】
前記発光体のセットの各発光体は、前記再充電プラッターの前記第１の回路によって提供された前記充電信号に誘導されて結合される、請求項４に記載の再充電可能なランプシステム。
【請求項６】
前記発光体のセットの各発光体は、自動安定装置を備えており、拡散器を含む、請求項１に記載の再充電可能なランプシステム。
【請求項７】
前記発光体のセットの各発光体の前記拡散器は、前記光出射素子を支持する基礎部材に取り付けられる、請求項６に記載の再充電可能なランプシステム。
【請求項８】
前記拡散器は、ろうそくに類似する形状に形成され、前記光出射素子を支持している前記基礎部材に離脱可能に取り付けられる、請求項６に記載の再充電可能なランプシステム。
【請求項９】
前記第１の回路は、誘導充電信号を提供するために前記供給されたＡＣ信号に応答するインダクタを含む、請求項１に記載の再充電可能なランプシステム。
【請求項１０】
前記第２の回路は、前記充電信号が感知された場合に前記光出射素子への前記バッテリーパックからの電力を中断するためのスイッチを感知する充電信号によって制御されたラッチを含む、請求項９に記載の再充電可能なランプシステム。
【請求項１１】
前記第２の回路は、前記再充電可能なバッテリーパックに同一のものを誘導して結合するために前記誘導充電信号に応答する誘導子を含む、請求項１０に記載の再充電可能なランプシステム。
【請求項１２】
発光体のセットを移動可能に受け取る再充電プラッターであって、該再充電プラッターは、該プラッター上に受け取られた該発光体のセットの各発光体に充電信号を提供する充電回路を含む、再充電プラッターと、
それぞれが該ランプに結合されたランプおよび再充電可能なバッテリーパックを含む発光体のセットと、
該発光体のセットの各発光体に結合され、該充電信号の非検出に応答して各発光体の該ランプを発光し、該充電信号の検出に応答して各発光体の該ランプを「オフ」にするための該充電信号に応答し、これにより、該発光体のセットの各発光体は、該再充電プラッターから移動された場合に発光し、前記再充電可能なプラッター上に受け取られた場合に「オフ」にする、自動照明手段と、
を含む、自動照明再充電可能なランプシステム。
【請求項１３】
前記セットは、１つ以上の発光体を含む、請求項１２に記載の再充電可能なランプシステム。
【請求項１４】
該スイッチの手動の作動によって前記充電信号を中断するために適切に作用するように前記プラッターに結合されて手動により作動されるスイッチをさらに含む、請求項１３に記載の再充電可能なランプシステム。
【請求項１５】
前記手段は、各発光体を発光するための前記充電信号の中断に応答するスイッチを感知する充電信号を含む各発光体に結合された回路を含む、請求項１３に記載の再充電可能なランプシステム。
【請求項１６】
発光体のセットを受け取るように適合された再充電プラッターであって、該再充電プラッターで受け取られる該発光体のセットの各発光体に結合され、供給されたＡＣ電力に応答して動作し、充電信号を該発光体のセットの各発光体に提供する第１の回路を含む、再充電可能プラッターと、
それぞれが再充電可能なバッテリーパックに第２の回路を介して結合された光出射素子を有する発光体のセットであって、該第２の回路は、発光体のセットの各発光体が該再充電可能なプラッター上で受け取られた場合に該充電信号に応答して該再充電可能なバッテリーパックを充電する１つのモードで動作し、該充電信号の欠如に応答して前記光出射素子を活性化する別のモードで動作し、これにより、該発光体のセットの各発光体は、該再充電可能なプラッターから除去された場合に発光する、発光体のセットと、
を含む、再充電可能なランプシステム。
【発明の詳細な説明】
【０００１】
（発明の分野）
本発明は、照明の分野に対して示されており、より特には、新しい再充電可能なランプシステムに対して示されている。
【０００２】
（発明の背景）
ロウソクは、照明および／または雰囲気を提供するために移動され、設置され得る。ロウソクの実用性および審美性の利点は公知である一方で、ロウソクは、好ましくないことに、それ自体の消費を受けるため、使い果たされたとき交換する必要があり、特にロウソクを消したとき、空気を汚す煙を発生し、絶えず付きまとう火災害を防ぐために慎重な注意を必要とする。さらに、ロウソクは、外で使用したとき、突風で火が消されやすく、多くの場合において、ロウソクの支持部材または基礎構造から除去される必要がある、好ましくないロウの形成を生じ得る。
【０００３】
従って、ロウソクの不利な点に影響されない、ロウソクの多くの実用性および審美的な利点を楽しむ再充電可能なランプシステムを提供する必要がある。
【０００４】
（発明の要旨）
従って、ロウソクに関連する問題を避ける、ロウソクのような照明を屋内または屋外で供給する再充電可能なランプシステムを開示することが本発明の典型的な目的である。
【０００５】
それに加えて、本発明の再充電可能なランプシステムは、再充電するプラッターを含む。再充電するプラッターは、発光体セットの各発光体に接続された第１の回路を含む１セットの発光体を受け取り、受け取られた１セットの発光体の各発光体に電荷信号を提供するように供給されたＡＣ電力に応答して動作するように適応される。そして、再充電可能なランプシステムは、第２の回路を介して再充電可能なバッテリーパックに接続された光放出素子をそれぞれ有する１セットの発光体を受け取り、１セットの発光体の各発光体が再充電するプラッターで受け取られるとき、電荷信号に応じて再充電可能なバッテリーパックを充電するあるモードで動作し、信号の欠如に応答して光放出素子を駆動する別のモードで動作し、それにより再充電するプラッターから動かされる場合は発光体の光、ＡＣ電源が、発光体中で受け取るとき再充電するプラッターに供給されない場合は光を動作するように適応される。
【０００６】
現在好ましい実施形態において、発光体セットは、再充電するプラッターの第１の回路に誘導的に接続される発光体セットのそれぞれのうち１つ以上の発光体を含む。誘導的な接続は、自動的に、再充電するプラッターによって受け取りに応じて発光体の再充電可能なバッテリーパックのハンズフリーの再充電を提供し、自動的に、発光体セットがそこから移動されたとき発光体のハンズフリーの作動を提供する。
【０００７】
現在好ましい実施形態において、発光体セットの各発光体は、自己静置し、発光要素を支持するベース部材に取り外しできるように取り付けられた、ロウソク似せたように成形され得るディフューザを含む。
【０００８】
本発明のこれらの目的および他の目的の有利な特徴および発明の局面は、添付の図面に関連して考察される場合、以下の好適な実施形態の詳細な説明からよりよく理解されるのと同時により完全に明白になる。
【０００９】
（好適な実施形態の詳細な説明）
図１を参照すると、参照符号１０は、一般に、本発明の再充電可能なランプシステムを言及する。ランプシステム１０は、充電スタンド１２および複数のランプモジュール１１０、１１１、１１２および１１４を含む。
【００１０】
図１および２に示されるように、スタンド１２は、スロット１６、１８、２０および２２を含み、スロット１６、１８、２０および２２それぞれは、ランプモジュール１１０、１１１、１１２および１１４の１つを取り外しできる受け取りに適している。スロット１６、１８、２０および２２は、各円筒状壁３８、４０、４２および４４ならびに実質的に平面の底４６、４８、５０および５２をそれぞれ含む。
【００１１】
直列型電源スイッチ２６および「ウォールブロック（ｗａｌｌ‐ｂｌｏｃｋ）」スタイルの変圧器を有する電源コード２４は、通常の１２０ボルトの家庭用の電流によって充電スタンド１２に電力を供給する。代替の実施形態において、この変圧器を抜きにし得る。
【００１２】
明細書中により詳細に記載されるように、各モジュール１１０、１１１、１１２および１１４は、スロット１６、１８、２０および２２のそれぞれ１つに置かれたとき磁気誘導によって充電されるようにバッテリで動かされ、設計される。モジュール１１０、１１１、１１２および１１４は、スロット１６、１８、２０および２２から移動されるとき、またはＡＣ電源が充電スタンド１２に遮断されるときに明るく照らすようにそれぞれ設計される。
【００１３】
好適な実施形態に示されるランプモジュールの数（各モジュールのスロットに一致する数）は、単に例示を意味するにすぎない。本発明のランプシステム１０が任意の数のモジュールで構成されることは、理解されるべきである。
【００１４】
図３〜４を参照すると、スタンド１２はまた、上部３０および下部３２を含む。例示の実施形態において、上部３０はセラミックである。しかし、上部３０は、他の適切な材料（例えば、木またはプラスチック）で作られてもよい。経済的利益のために、例示の実施形態の下部３２は、射出成形されたプラスチックで形成されるが、他の適切な材料（例えば、スチールまたは他の金属または他の材料）で同様にうまく作られてもよい。例示の実施形態において、上部３０および下部３２は、共にカチッとはまる。しかし、例えば接着、ネジ取り付けといった任意の適切な方法を用いて、上部３０および下部３２を固定し得る。
【００１５】
図２、５および６に示されるように、スタンド１２は回路基板５８を含む。回路基板５８は、コード２４および４つの主要な誘導コイル（並列接続）、壁３８、４０、４２および４４をそれぞれ取り囲む１つのコイルに配線接続される。図５は、一対の主要な誘導コイル５４および５６をそれぞれ含む。図５は、壁４４および４２をそれぞれ取り囲む、一対の主要な誘導コイル５４および５６を示す。同一の主要なコイル（図示せず）は壁３８および４０を取り囲む。
【００１６】
図７は、変圧器２８、直列電源スイッチ２６および主要な誘導コイル５４によって形成された回路を示す。図７に示されるように、変圧器２８は、ＡＣ１２０ＶをＡＣ１２Ｖに変換する。３つの他の主要なコイル（図示せず）は、好適には、主要な誘導コイル５４と並列に配線される。一実施形態において、変圧器構成要素は、誘導コイル（プラッタおよび発光体）と交換され得る。誘導コイルの巻数比を選択して、ランプに減少した電圧を供給する。当業者によって明白であるように、回路の周波数より高い周波数を提供するオシレータは、（誘導サイズおよび付随するコスト）効率的に良くなるように使用され得る。
【００１７】
モジュール１１０、１１１および１１２は、モジュール１１４と同一である。従って、詳細にモジュール１１４を記載するだけが必要となる。
【００１８】
図８〜１６に示されるように、モジュール１１４は、ディフューザ１１６、電球１１８、バッテリーパック１２０、回路基板１２２、二次誘導コイル１２４およびベース１２６を含む。
【００１９】
例示の実施形態においてディフューザ１１６は、艶消しされた外部表面１４２を有する中空成形プラスチック（またはガラス）で形成される。それはまた、艶消しされ、半透明の仕上げで射出成形されたプラスチックであり得る。例示の実施形態において、ディフューザ１１６は細長く、引き伸ばしたような形であり、チップ１４４に対して上方にテーパーをつけており、テール１４８に対してわずかにテーパーをつけている中央部分１４６を含む。この形状は、最良の光の色および伝達ならびに電球１１８からの最良の光の伝播さえも提供するように選択される。明らかに、ディフューザ１１６の多数の代替の形状が可能である。しかし、ディフューザ１１６によって生成された内部容量は、電球１１８、バッテリーパック１２０および回路基板１２２を覆うのに十分である必要がある。さらに、電球１１８によって発生した熱のため、ディフューザ１１８が溶けて、変形することを避けるために電球１１８とディフューザ１１６との間に空隙を提供することが所望される。
【００２０】
ベース１２６は、水平面またはスロット１６内で設置されたときにモジュール１１４に対して安定した支持を提供する下部１２８を含む。ネック１３０は、（電球１１８およびバッテリーパック１２０にアクセスできるように）ディフューザ１１６を取り外し可能で受け取るように適合される。ネック１３０はタブ１３４、１３６、１３８および１４０ならびにネック１３０にモジュール１１４のテール１４８を固定する対処されるリップ１３５を含む（図８、１３および１４）。
【００２１】
例示の実施形態のバッテリーパック１２０は、ＰＶＣ収縮フィルムで包まれ、ＤＣ３．６Ｖおよび５００〜８００ｍＡの総出力を有する３つの「ＡＡ」ニッケルカドミウム（Ｎｉ−Ｃａｄ）電池を含む。当然ながら、充電可能な電池の他の種類およびサイズ（例えば、ニッケル金属水素化物電池またはリチウム電池）は、Ｎｉ−Ｃａｄ電池に適応され得る。そのような電池は、実質的に高価であるが、Ｎｉ−Ｃａｄ電池よりもより多くの電力を供給し、より早く充電する。
【００２２】
電球１１８に必要な電力は、当然ながら、バッテリーパック１２０の電気出力に適合するように選択される。例示の実施形態において、電球１１８は、従来の小型白熱電球である。例えば、Ｃｈｉｃａｇｏ  Ｍｉｎｉａｔｕｒｅ  Ｌａｍｐ，Ｉｎｃ．のパート番号ＣＭ１７３８は、１カンデラの出力を有し、２．８０Ｖ、６０ｍＡ、平均寿命６０００時間の設計所要電力を有する。当然ながら、光源の他のランプおよび種類（例えば、発光ダイオード（Ｌ．Ｅ．Ｄ））が電球１１８を代用し得る。示される白熱電球は、コストのバランス、熱発生、電力消費、平均耐用年数および輝度特性のため好ましい。
【００２３】
図１３および１４に示されるように、バルブ１１８およびバッテリーパック１２０は、好ましくは、回路基板１２２に結線で接続されている。図１６に示されるように、回路基板１２２は、バッテリーパック１２０の充電およびバルブ１１８の点灯を制御する四つの主要回路を含む。
【００２４】
充電回路１５０は、電圧及び二次誘導コイル１２４からバッテリーパック１２０に流れる電流を調整して、バッテリーパック１２０への損傷を防止する。ラッチ回路１５４は、バッテリーパック１２０の電圧の出力が３．１ボルトより下に落ちる場合にバルブ１１８への電流を切り離し、そのため、十分に消耗しているバッテリーパック１２０によって引き起こされ得るバッテリーパック１２０への損傷を防止する。充電感知スイッチ１５６は、電流が充電回路１５０に検出された場合に、ラッチ回路１５４と協同して作動して、バルブ１１８への電流をオフにする。一定の電流源回路１５２は、電流の一定の流れ（例示的実施形態では６５ｍＡ）をバルブ１１８に提供する。これは、バッテリーパック１２０からの出力電流内の変動にもかかわらずバルブ１１８が一定の明るさで輝くこと可能にする。代替の実施形態では、一定の電圧源が、使用され得る。
【００２５】
上述したように、バッテリーパック１２０は、磁気誘導によって充電される。一次誘導コイル５４によって形成される磁場（電流が付与された場合）は、二次誘導コイル１２４が一次誘導コイル５４に対して同心に配置された場合に電流を二次誘導コイル１２４内に誘導する。本発明では、これは、モジュール１１４がスロット１６内に配置された場合に発生する（図１参照）。
【００２６】
Ｎｉ−Ｃａｄ電池の貯蔵寿命が増加する程に十分に充電されたバッテリーパック１２０を輸送する（ｓｈｉｐ）ことが好ましい。しかしながら、十分に充電された輸送するバッテリーパック１２０は、バッテリーパック１２０をランプ１１８からバッテリーパック１２０が充電される時間およびモジュール１１４が末端の消費者によって最初に用いられる場合に、電気的に絶縁する手段の包含を必要とする。このような手段は、最初の使用の前に消費者によって除かれる最初の充電後の２つの電気的接触間に挿入されたマイラー（Ｒ）タブ（図示せず）を含み得る。代替として、このような手段は、可溶性リンク（図示せず）を含み得る。可溶性リンクは、電流が充電回路１５０内で感知された場合（すなわち、消費者がプラグを充電スタンド１２に差し込む最初のとき）に、閉じた電流調整回路１５２に適合される。
【００２７】
ランプシステム１０の操作は、見事に簡単である。上述のように、バルブ１１８は、電流が充電回路１５０で感知されない場合に照明するように設計される。したがって、バルブ１１８は、モジュール１１４がスロット１６から取り除かれた場合に自動的にオンになる。充電スタンド１２およびモジュール１１４は、さらに、モジュール１１４をスロット１６内に残すことおよび直線に並んだ電力スイッチ２６をスイッチすることによってテーブルランプとして機能し得る。モジュール１１４は、さらに、電力がない間に自動的にオンになる緊急ライトとして機能する。
【００２８】
より広い局面における本発明は、記載された実施形態に制限されず、本発明の原理から逸脱することなく、且つ、主要な利点を犠牲にすることなく逸脱がなされ得る。明らかに、非常に多くの修正が本発明になされ得る。したがって、本発明は、本明細書に詳細に記載されたのとは別な方法で実施され得る。
【図面の簡単な説明】
【図１】
図１は、本発明の例示の実施形態の透視図であり、充電スタンドおよび１つのランプモジュールを示す。
【図２】
図２は、充電スタンドの平面図である。
【図３】
図３は、充電スタンドの正面図である。
【図４】
図４は、充電スタンドの下面図である。
【図５】
図５は、図２のライン５−５に沿った充電スタンドの断面図である。
【図６】
図６は、図２のライン６−６に沿った充電スタンドの断面図である。
【図７】
図７は、充電スタンドの回路の回路図である。
【図８】
図８は、本発明によるランプモジュールの例示の実施形態の分解透視図である。
【図９】
図９は、ランプモジュールの正面図である。
【図１０】
図１０は、ランプモジュールの右側面図である。
【図１１】
図１１は、ランプモジュールの平面図である。
【図１２】
図１２は、ランプモジュールの下面図である。
【図１３】
図１３は、図９のライン１３−１３に沿ったランプモジュールの断面図である。
【図１４】
図１４は、図１０のライン１４−１４に沿ったランプモジュールの断面図である。
【図１５】
図１５は、図９のライン１５−１５に沿ったランプモジュールの断面図である。
【図１６】
図１６は、本発明によるランプモジュールの回路基板の回路図の例示の実施形態である。
【図７】
2004502271.tif 000003
【図１６】
2004502271.tif 000004
【国際公開パンフレット】
2004502271.tif 000005
2004502271.tif 000006
2004502271.tif 000007
2004502271.tif 000008
2004502271.tif 000009
2004502271.tif 000010
2004502271.tif 000011
2004502271.tif 000012
2004502271.tif 000013
2004502271.tif 000014
2004502271.tif 000015
2004502271.tif 000016
2004502271.tif 000017
2004502271.tif 000018
2004502271.tif 000019
2004502271.tif 000020
2004502271.tif 000021
2004502271.tif 000022
2004502271.tif 000023
2004502271.tif 000024
2004502271.tif 000025
2004502271.tif 000026
2004502271.tif 000027
【国際調査報告】
2004502271.tif 000028